(57)【要約】【課題】床スラブの構築に用いられる版であってその設置に要する労力を軽減する版を提供すること。【解決手段】床スラブ（１０）の一部を形成するためのＰＣ板（１６）と床スラブ中にボイドを実質的に形成するための複数のブロック（１８）とを含む床スラブ形成用版（１２）であり、ＰＣ板が、全体に矩形状を呈する板状の本体（２０）と、本体から上方に突出する突条部であって本体の相対する一対の縁部（２６）間の中央をこれらと平行に伸びる単一又は複数の突条部（２２）と、本体の各縁部に沿って植え込まれ上方へ伸びる複数の鉄筋（２４）とを備える。ブロック（１８）はＰＣ板の突条部（２２）と鉄筋（２４）との間、又はさらに突条部相互間に、突条部に沿ってかつ互いに間隔をおいて配置されている。【選択図】図１
2006118339.tif 000002
【特許請求の範囲】
【請求項１】
床スラブの一部を形成するためのＰＣ板と前記床スラブ中にボイドを実質的に形成するための複数のブロックとを含む床スラブ形成用版であって、
前記ＰＣ板が、全体に矩形状を呈する板状の本体と、該本体から上方に突出する１つの突条部であって前記本体の相対する一対の縁部間の中央をこれらと平行に伸びる１つの突条部と、
前記本体の各縁部に沿って植え込まれ上方へ伸びる複数の鉄筋とを備え、
前記ブロックが前記ＰＣ板の突条部と前記鉄筋との間に、前記突条部に沿ってかつ互いに間隔をおいて配置されている、床スラブ形成用版。
【請求項２】
床スラブの一部を形成するためのＰＣ板と前記床スラブ中にボイドを実質的に形成するための複数のブロックとを含む床スラブ形成用版であって、
前記ＰＣ板が、全体に矩形状を呈する板状の本体と、該本体から上方に突出する互いに間隔を置かれた複数の突条部であって前記本体の相対する一対の縁部間の中央をこれらと平行に伸びる複数の突条部と、
前記本体の各縁部に沿って植え込まれ上方へ伸びる複数の鉄筋とを備え、
前記ブロックが前記ＰＣ板の突条部と前記鉄筋との間及び両突条部間に、前記突条部に沿ってかつ互いに間隔をおいて配置されている、床スラブ形成用版。
【請求項３】
前記ＰＣ板の本体内に配置され該本体の縁部と平行に伸びる複数のＰＣ鋼材によりプレストレスが導入されている、請求項１又は２に記載の床スラブ構成用版。
【請求項４】
前記本体の突条部下に配置された前記ＰＣ鋼材が他のＰＣ鋼材より大きい直径を有する、請求項３に記載の床スラブ形成用版。
【請求項５】
前記ブロックは凹凸状の頂面を有する、請求項１又は２に記載の床スラブ形成用版。
【発明の詳細な説明】
【技術分野】
【０００１】
本発明は、建物の床スラブを形成するために用いられる版、より詳細には、集合住宅のいわゆるボイド床スラブを形成するために設置され該床スラブの一部をなす板状の部材に関する。
【背景技術】
【０００２】
従来、このような床スラブ形成用版として、その重量の軽減、その曲げ強度の増大等を図るため、前記版を構成する板状の本体から上方に突出する互いに平行な複数の突条部を有するプレキャストコンクリート板（以下単に「ＰＣ板」という。）が用いられている。前記ＰＣ板の突条部相互間の空間は、床スラブ中に実質的なボイドを形成すべく、床スラブの構築に際し、発泡プラスチックのような充填材で充填される（特許文献１参照）。
【０００３】
【特許文献１】特開平３−１３２５４７号公報
【発明の開示】
【発明が解決しようとする課題】
【０００４】
床スラブは、先に構築された一対の梁に複数の版を並べて掛け渡し、これらの上にコンクリートを打設することにより形成される。床スラブ中において、前記充填材は、前記ＰＣ板及び前記打設コンクリートとは異質の部分すなわち実質的なボイドをなす。
【０００５】
ところで、前記版を用いた床スラブの構築に際し、前記版と前記打設コンクリートからなるコンクリート層との間の相互接続、及び前記版同士の相互接続のため、前記打設コンクリート中に鉄筋が埋設される。
【０００６】
前記従来の版にあっては、版とその上方に打設されたコンクリートの固化物であるコンクリート層との間の相互接続のため、複数の鉄筋がこれらの上端部が露出するように各突条部に埋設されている。しかし、これらの鉄筋の上端部には、前記突条部の成形の際に用いられたコンクリートが付着することが多い。このため、前記床スラブ構築の際の前記コンクリートの打設に先立ち、前記鉄筋の上端部に付着したコンクリートを剥離するための作業が伴い、これに多大の時間と労力を要するという問題がある。
【０００７】
また、前記従来の版にあっては、その本体上に複数の突条部が並び前記本体の縁に近接していることから、並べて配置された隣り合う両版の突条部間に十分な距離を確保することができず、このため、両版の相互結合のための鉄筋として、直線状の鉄筋の代わりに屈曲部を有する鉄筋が用いられる。しかし、このような屈曲部を有する鉄筋は、その設置に多大の労力と時間とを要するという問題がある。
【０００８】
そこで、本発明は、床スラブの構築に用いられる版であってその設置に要する労力を軽減する版の提供を企図する。
【課題を解決するための手段】
【０００９】
本発明は、床スラブの一部を形成するためのＰＣ板と前記床スラブ中にボイドを実質的に形成するための複数のブロックとを含む床スラブ形成用版であって、
前記ＰＣ板が、全体に矩形状を呈する板状の本体と、該本体から上方に突出する１つの突条部であって前記本体の相対する一対の縁部間の中央をこれらと平行に伸びる１つの突条部と、前記本体の各縁部に沿って植え込まれ上方へ伸びる複数の鉄筋とを備え、前記ブロックが前記ＰＣ板の突条部と前記鉄筋との間に、前記突条部に沿ってかつ互いに間隔をおいて配置されている。
【００１０】
床スラブ形成用半に係る他の発明にあっては、前記１つの突条部に代えて、互いに間隔を置かれた複数の突条部からなり、また前記ブロックがさらに前記突条部相互間に配置されている。
【００１１】
前記版には、好ましくは、前記ＰＣ板の本体内に配置され該本体の縁部と平行に伸びる複数のＰＣ鋼材によりプレストレスが導入されている。前記ＰＣ鋼材については、前記本体の突条部下に配置されたＰＣ鋼材が他のＰＣ鋼材より大きい直径を有するものとすることができる。また、好ましくは、前記ブロックは凹凸状の頂面を有する。
【発明の効果】
【００１２】
本発明によれば、床スラブ形成用版におけるＰＣ板の板状の本体上に単一の又は互いに間隔を置かれた複数の突条部をその相対する両縁部間の中央に設けたことから、床スラブの形成に際し複数の版を並べて配置するとき、隣接する両版の突条部間に比較的長い距離の空間を得ることができ、ここに、両版を接続するための鉄筋として直線状の鉄筋のような比較的簡単な形状の接続鉄筋を配置することができる。このため、前記接続鉄筋の設置に要する労力及び時間の低減を図ることできる。
【００１３】
また、本発明にあっては、版とこの上に打設されるコンクリートの層とを接続するための鉄筋が、厚さの厚い前記突条でなく厚さの薄い本体の縁部に沿って植え込まれていることから、従来と比べて、前記鉄筋の露出量は多く、前記版の形成の際にその形成に用いられたコンクリートが前記鉄筋に付着することは少ない。また、付着することがあっても、前記版上に打設される打設コンクリートに対する十分な付着面を確保することができる。このため、前記鉄筋に付着することがあるコンクリートの剥離作業を軽減し若しくは省略することができる。
【００１４】
前記版は、これに埋設されたＰＣ鋼材によりプレストレスを導入することができ、特に前記突条部下に配置されるＰＣ鋼材はより太く、したがってこれを介したより大きいプレストレスの導入が可能である。前記ブロックについてその頂面が凹凸状を呈するものを採用するときは、頂面が平坦なブロックと比べて、前記床スラブを該床スラブ上で発生する音に対する遮断性すなわち遮音性に優れたものとすることができる。
【発明を実施するための最良の形態】
【００１５】
図１を参照すると、集合住宅のような建物の床スラブが全体に符号１０で示され、また床スラブ１０の一部をなす本発明に係る床スラブ形成用の複数の版が、それぞれ、全体に符号１２で示されている。
【００１６】
床スラブ１０の構築に際しては、複数の版１２が、先に構築された一対の梁（図示せず）上に並べて掛け渡され、この上にコンクリート１４が打設される。版１０の下方にはこれを支持するための１又は複数の支保工（図示せず）が設置される。打設コンクリート１４が固化してなるコンクリート層は前記建物の床面を規定する。
【００１７】
図１〜図３に示すように、版１２は、プレキャストコンクリート板（PC板）１６と、該PC板上に配置された複数のブロック１８とを含む。
【００１８】
ＰＣ版１６は、全体に矩形状を呈する（すなわち矩形状の平面形状を有する）板状の本体２０と、本体２０に連なり、該本体から上方に突出する単一の突条部２２と、複数の鉄筋（図示の例では上方に向けて逆Ｖ形に伸びるいわゆるトラス筋）２４とを備える。
【００１９】
ＰＣ版１６の本体２０は、相対する一対の平行な縁部２６と、これらの縁部２６に直交する他の一対の平行な縁部２８とを有する。図示の例では、一方の縁部２６が他方の縁部２８より長いが、双方の縁部２６，２８を同じ長さに設定することができる。
【００２０】
ＰＣ版２０の突条部２２は、本体２０の両縁部２６間の中央を両縁部２６と平行に伸びている。図示の例では、突条部２２の両端がそれぞれ本体２０の他の両縁部２８で終わっているが、前記両端の少なくとも一方が縁部２８に到る手前で終端するものとすることができる。また、図示の突条部２２は矩形の横断面形状を有するが、他の横断面形状、例えば台形状を有するものとすることができる。なお、本体２０の幅寸法（両縁部２６間の長さ寸法）に対する突条部２２の幅寸法の割合及び突条部２２の高さ寸法は任意に定めることができる。
【００２１】
突条部２２を設けることにより、本体２０の全部についてその厚さ寸法を大きいものに設定する場合と比べて、版１２の重量増大を抑えかつ版１２の曲げ強度を増大させることができる。その結果、コンクリート１４の打設に伴う版１２の撓みを少なくすることができ、このため、版１２を支持するために要する前記支保工の数量の低減と、これに伴う前記支保工の設置に要する労力やコストの低減、版１２下の作業空間の拡大を図ることができる。
【００２２】
また、突条部２２を本体２０の前記中央に１つ設けたことから、本体の全面にわたって複数の突条を等間隔に並列に設ける従来と比べて、突条部２２と各縁部２６との距離ａ（図３）をより大きいものとすることができる。
【００２３】
突条部２２と各縁部２６との間に比較的大きい距離ａを設定可能とすることにより、床スラブ１０の形成の際に複数の版１２を並べて配置したとき、互いに隣接する版１２を相互に接続するために打設コンクリート１４中に埋設される接続鉄筋として、単純な形態である比較的長い棒状の鉄筋３０、両端を折り曲げただけの鉄筋（図示せず）等の使用が可能である。これは、前記距離ａが比較的短い場合にこれを保証すべくより大きい表面積を得るために複雑な形状に折り曲げられた鉄筋を用いる場合と比べて、その設置に要する労力及び時間の大幅な短縮に寄与する。
【００２４】
複数の鉄筋２４は、本体２０の各縁部２６に沿ってこれと平行な一線上に整列するように植え込まれ、それぞれ上方へ伸びている。これらの鉄筋２４は、床スラブ１０の形成のために版１２上にコンクリート１４が打設されるとき、コンクリート１４中に埋設され版１２とコンクリート１４の層とを接続する作用をなす。複数の鉄筋２４は、図示の例に代えて、非直線的に、例えばジクザクに伸びるように配置することが可能である。
【００２５】
両縁部２６に沿ってそれぞれ伸びる二条の鉄筋２４は、版１２の突条部２２と比べて厚さの薄い本体２０に植え込まれているため、従来のように鉄筋２４を突条部２２に植え込む場合と比べて、その露出量を多くすることができる。また、版１２の製造時にその型枠にコンクリートを流し込むとき、鉄筋２４を突条部に植え込む場合と比べて、鉄筋２４の露出部分に前記コンクリートが付着しにくい。このため、コンクリート１４の打設に先立つ鉄筋２４からの付着コンクリートの剥離作業に要する労力及び時間の低減を図ることができる。
【００２６】
複数のブロック１８は、ＰＣ板２０の突条部２２と各条の鉄筋２４との間に突条部２２に沿ってかつ互いに間隔をおいて配置されている。ブロック１８は、これを例えば釘（図示せず）でＰＣ板１６に打ち付けられ、ＰＣ板１６の表面上に固定されている。これにより、版１２の運搬を容易にすると共に、コンクリート１４の打設によりこれに埋設されるときのブロック１８の浮上を抑えることができる。
【００２７】
図示の例では、複数のブロック１８が突条部２２の各側面に接した状態で一列に配置されている。ブロック１８の大きさは任意に定めることができる。また、ブロック１８は、突条部２２から離して配置することもできる。
【００２８】
ブロック１８は、コンクリート１４とは異質の材料、例えば発泡ウレタンのような発泡プラスチックからなり、コンクリート１４と比べて軽量である。このため、ブロック１８により、床スラブ１０中にボイドとほぼ等価の部分、すなわち実質的にボイドをなす部分が形成され、これにより床スラブ１０の重量が軽減される。
【００２９】
また、ブロック１８は、凹凸状の頂面３２を有する。凹凸状をなす頂面３２は、１の平坦面により規定された頂面と比べて、床スラブ１０上で発生する音の遮断性に優れる。
【００３０】
図示の例では、ブロック１８は全体に一方向へ細長く伸びる矩形の平面形状を有し、その頂面３２に連なる２つの端面３４及び２つの側面３６と、頂面３２に相対する矩形状の底面３８とを有する（図３参照）。また、これらのブロック１８の配置により、PC板１６の上方に、ブロック１８が仕切る細長い空間４０が形成される。
【００３１】
ブロック１８は、その横断面（その端面３４と平行な断面）で見て、互いに連なる複数の曲線部分、すなわち山をなす２つの曲線部分とこれらの間の谷をなす１つの曲線部分とにより前記凹凸が規定されている。前記凹凸は、他の形状の凹凸、例えば互いに連なりかつ折れ曲がる複数の直線部分により規定されているものであってもよい。また、図示の例では、前記凹凸は前記横断面に直交する縦断面で見て直線からなるが、これらがさらに互いに連なる複数の曲線部分又は直線部分からなるものであってもよい。
【００３２】
しかし、ブロック１８は、図示の例に代えて、任意の形状を有するもの、例えば直方体形状を有するものとすることができる。
【００３３】
なお、コンクリート１４が打設され、床スラブ１０が形成されるとき、PC板１６の本体２０とその上方のブロック間空間４０を満たすコンクリート１４の板状の固化物とが互いに一体をなし、またPC板１６の突条部２２とその上方のコンクリート１４の板状の固化物とが互いに一体をなす。その結果、床スラブ１０において、本体２０の一部とこれに連なる空間４０を満たすコンクリート１４の固化物、及び突条部２２及びこれを覆うコンクリート１４の固化物とが互いに格子状をなし、補強リブとしての作用をなす。
【００３４】
版１２のＰＣ板１６はこれにプレストレスが導入されたものとすることができる。
【００３５】
図示の例では、前記プレストレスを与える複数のＰＣ鋼材４２，４４がＰＣ板１６内に配置されている。ＰＣ鋼材４２，４４は、本体１６の縁部２６と平行に伸びている（図１）。突条部２２下に位置するＰＣ鋼材４２は、突条部２２が他の個所より大きい厚さ寸法を有するため、前記他の個所に位置するＰＣ鋼材４４と比べてより大径のものとすることができ、これにより突条部２２下により大きいプレストレスを導入することができる。
【００３６】
なお、図１に示す符号４６，４８，５０は床スラブ１０内に配置される補強鉄筋を示し、また符号５２は各縁部２６に沿って伸びる、複数のトラス筋２４をこれらの頂部でそれぞれ接続する鉄筋を示す。
【００３７】
版１２は工場生産とすることができるため、寸法精度の高いものを得ることができる。また、版１２は、ＰＣ版１６の厚さを増大することにより得る場合と比べて重量の増大が小さいことから、建築現場への搬入のための運搬も比較的容易に行うことができる。
【００３８】
次に、図４に他の例に係る版１２を示す。
【００３９】
図４に示す版１２は、図１〜図３に示す版１２と異なり、互いに間隔を置かれた２つの突条部２２が本体２０の中央に配置されており、またブロック３２がさらに両突条部２２ａ間に追加配置されている。これらの２点を除き、図４に示す版１２は図１〜図３に示す版１２と同一である。そこで、説明の重複を避けるため、同一の部分については、図１〜図３に付した符号と同じ符号を図４に付すに止める。
【００４０】
ここで、図４に示す各突条部２２は、図１〜図３に示す版１２の単一の突条部２２と比べて小さい幅寸法を有する。各突条部２２を比較的細い幅寸法のものとすることにより、版全体に所要の剛性を確保した上でその重量増大を最小限に抑えることができる。また、各突条部２２と本体の各縁部２６との間に、図１〜図３に示すと同様に比較的大きい距離ａを確保することができ、この箇所に棒状の鉄筋３０を配置することができる。
【００４１】
両突条部２２間に配置されるブロック１８は、その両端面３６がそれぞれ両突条部２２に接するように、又は両突条部２２に接しないように配置することができる。
【００４２】
本体２０の中央に配置される突条部２２の数量を、前記した図示の例に代えて、３以上とすることができる。この場合には、これらの突条部のうち最外方に位置し本体２０の縁部に最も近い突条部と本体２０の縁部２６との間に距離ａを確保することができるように、前記２つの突条部２２を設ける場合を含め、本体２０の幅寸法をより大きいものに設定することができる。また、この場合には、各突条部の幅をより細いものとすることができる。
【図面の簡単な説明】
【００４３】
【図１】本発明に係る床スラブ形成用版を含む床スラブの部分横断面図である。
【図２】床スラブ形成用版の平面図である。
【図３】床スラブ形成用版の側面図である。
【図４】他の例に係る床スラブ形成用版の横断面図である。
【符号の説明】
【００４４】
１０  床スラブ
１２  床スラブ形成用版
１４  打設コンクリート又はその固化物
１６  プレキャストコンクリート板
１８  ブロック
２０  本体
２２  突条部
２４  鉄筋（トラス筋）
２６，２８  縁部
３０  接続用鉄筋
４２，４４  ＰＣ鋼材
【図１】
2006118339.tif 000003
【図２】
2006118339.tif 000004
【図３】
2006118339.tif 000005
【図４】
2006118339.tif 000006